【手続補正書】
【提出日】平成22年9月14日(2010.9.14)
【手続補正１】
【補正対象書類名】特許請求の範囲
【補正対象項目名】全文
【補正方法】変更
【補正の内容】
【特許請求の範囲】
【請求項１】
生体組織にエネルギを作用させて処置を行う治療用処置システムであって、
エネルギを供給するエネルギ源と、
前記生体組織を狭持するように少なくとも一方が他方に対して相対的に移動する１対の狭持部材と、
前記狭持部材の少なくとも一方に設けられているとともに、前記エネルギ源に接続され前記エネルギ源から供給されるエネルギによって前記生体組織を熱により変性させる出力部材と、
前記出力部材から離れる方向への熱の広がりを抑制する冷却部と
を具備することを特徴とする治療用処置システム。
【請求項２】
前記冷却部は、前記出力部材に隣接した位置に設けられ、前記熱により変性させた生体組織から周囲への熱の広がりを抑制する放熱用部材を備えていることを特徴とする請求項１に記載の治療用処置システム。
【請求項３】
前記冷却部は、冷却用媒体を供給するための管路を備えていることを特徴とする請求項１もしくは請求項２に記載の治療用処置システム。
【請求項４】
前記冷却部は、前記狭持部材に冷却用媒体を循環させるように、前記狭持部材の内部に管路を備えていることを特徴とする請求項１もしくは請求項２に記載の治療用処置システム。
【請求項５】
前記冷却部は、熱伝導性を有し冷却用媒体を流すことが可能な循環型管路を含み、冷却用媒体が前記循環型管路を通過したときに前記循環型管路の外側に冷却用媒体の熱を伝導し、
前記循環型管路は前記狭持部材の外側に配設され、生体組織が前記狭持部材によって保持されているときに生体組織に接触することを特徴とする請求項１もしくは請求項２に記載の治療用処置システム。
【請求項６】
前記冷却部は、
前記狭持部材の狭持面側に設けられ、エネルギによって変性される生体組織から生じるガスおよび／もしくは液体を含む流体を案内する流路と、
前記流路の近傍に設けられ前記狭持部材に冷却用媒体を循環させる管路と
を含むことを特徴とする請求項１に記載の治療用処置システム。
【請求項７】
前記出力部材に近接した位置に設けられ、熱により生体組織を変性させるときに前記生体組織から発生する気体および／もしくは液体を含む流体を通過させることが可能な少なくとも１つの流体通路をさらに具備することを特徴とする請求項１ないし請求項６のいずれか１に記載の治療用処置システム。
【請求項８】
前記出力部材に隣接した位置に設けられた少なくとも１つの障壁部をさらに具備し、
前記障壁部は、前記出力部材と前記冷却部との間に設けられ、前記出力部材に対して同一高さ又は高い位置に配置される
ことを特徴とする請求項１ないし請求項７のいずれか１に記載の治療用処置システム。
【請求項９】
前記冷却部は、前記障壁部に対して同一高さ又は低い位置に配置されることを特徴とする請求項８に記載の治療用処置システム。
【請求項１０】
前記出力部材は、前記狭持部材の少なくとも一方に複数設けられていることを特徴とする請求項１ないし請求項９のいずれか１に記載の治療用処置システム。
【請求項１１】
生体組織にエネルギを作用させる治療用処置具であって、
前記生体組織を狭持するための狭持部材を具備し、
前記狭持部材は、
互いに対して相対的に移動可能な第１および第２の狭持体と、
前記第１および第２の狭持体の少なくとも一方に設けられ、エネルギ源に接続され、前記第１および第２の狭持体で生体組織を狭持したときに、前記エネルギ源から供給されたエネルギによって前記生体組織を熱により変性させる出力部材と、
前記変性された生体組織から周囲への熱の広がりを抑制する冷却部と
を備えていることを特徴とする治療用処置具。
【請求項１２】
前記冷却部は、前記第１および第２の狭持体のうち、少なくとも前記出力部材が設けられた狭持体に設けられていることを特徴とする請求項１１に記載の治療用処置具。
【請求項１３】
前記冷却部は、前記出力部材の外側に設けられていることを特徴とする請求項１２に記載の治療用処置具。
【請求項１４】
前記冷却部は、その内側に冷却用の流体を流したときに、その流体の熱がその外側に伝達される、熱伝導性を有する管路を備えていることを特徴とする請求項１１もしくは請求項１２に記載の治療用処置具。
【請求項１５】
前記冷却部は、前記管路に接触するとともに生体組織に接触する冷却板をさらに備えていることを特徴とする請求項１４に記載の治療用処置具。
【請求項１６】
前記冷却板は、前記出力部材との間に、前記生体組織から発生させた気体および／もしくは液体を含む流体を前記狭持部から排出するための、流体を通す流体通路を備えていることを特徴とする請求項１５に記載の治療用処置具。
【請求項１７】
前記冷却板は、前記出力部材により前記生体組織から発生させた流体が前記冷却板と生体組織との間を通して前記狭持部の外側に漏れることを防止するように、前記生体組織に密着される障壁部を備えていることを特徴とする請求項１５もしくは請求項１６に記載の治療用処置具。
【請求項１８】
前記冷却部は、前記変性させた生体組織から広がる熱を放熱する放熱用部材を備えていることを特徴とする請求項１１に記載の治療用処置具。
【請求項１９】
前記冷却部は、
前記狭持部材の狭持面側に設けられ、エネルギによって変性される生体組織から生じるガスおよび／もしくは液体を含む流体を案内する第１の流路と、
前記第１の流路の近傍に設けられ前記第１および第２の狭持体の少なくとも一方に冷却用媒体を循環させる管路と
を含むことを特徴とする請求項１１に記載の治療用処置具。
【請求項２０】
前記第１の流路は前記出力部材に設けられていることを特徴とする請求項１９に記載の治療用処置具。
【請求項２１】
前記第１の挟持体は第１の狭持面を、第２の挟持体は第２の狭持面を生体組織を挟持するために有し、
前記第１の流路は前記第１及び第２の狭持面から流体を排出するために前記第１及び第２の狭持面の少なくとも一方に形成されていることを特徴とする請求項１９に記載の治療用処置具。
【請求項２２】
前記第１の流路は、前記第１および第２の挟持体の少なくとも一方から離れた位置で流体を排出するための第２の流路に連通していることを特徴とする請求項１９に記載の治療用処置具。
【請求項２３】
前記第２の流路は、前記第１および第２の挟持体の少なくとも一方から離れた位置で流体を排出するために延出されていることを特徴とする請求項２２に記載の治療用処置具。
【請求項２４】
前記第１および第２の挟持体のうち、少なくとも前記出力部材が設けられた挟持体は、前記出力部材の外側に縁部を有し、
前記第１の流路は前記縁部と前記出力部材との間に溝を有することを特徴とする請求項１１に記載の治療用処置具。
【請求項２５】
前記第１の流路は、前記出力部材の近傍に設けられていることを特徴とする請求項１９に記載の治療用処置具。
【請求項２６】
前記冷却部は、前記第１および第２の狭持体のうち、少なくとも前記出力部材が設けられた狭持体に設けられた冷却板と、前記冷却板を冷却する冷却手段とを備えていることを特徴とする請求項１１に記載の治療用処置具。
【請求項２７】
前記冷却手段は、前記冷却板と、前記第１および第２の狭持体のうち、前記出力部材が設けられた狭持体との間に、前記冷却板を冷却するための流体を入れる空間を備えていることを特徴とする請求項２６に記載の治療用処置具。
【請求項２８】
前記冷却部は、前記出力部材の外側に設けられた伝熱部材と、この伝熱部材を冷却する冷却手段とを前記狭持部材に備えていることを特徴とする請求項１１に記載の治療用処置具。
【請求項２９】
前記冷却手段は、前記伝熱部材を冷却する流体であることを特徴とする請求項２８に記載の治療用処置具。
【請求項３０】
前記冷却手段は、前記伝熱部材に接触し、内部に流体を流す管路であることを特徴とする請求項２８に記載の治療用処置具。
【請求項３１】
前記狭持部材は、前記第１および第２の狭持体の間に狭持された生体組織を補助的に処置するための治療補助具を備えていることを特徴とする請求項１１ないし請求項３０のいずれか１に記載の治療用処置具。
【請求項３２】
前記第１および第２の狭持部は、前記治療補助具を案内するとともに、前記変性された生体組織から発生する流体を排出するための案内溝を備えていることを特徴とする請求項３１に記載の治療用処置具。
【請求項３３】
前記出力部材は、高周波電極であることを特徴とする請求項１１ないし請求項３２のいずれか１に記載の治療用処置具。
【請求項３４】
前記出力部材は、それ自体が熱を持つことを特徴とする請求項１１ないし請求項３２のいずれか１に記載の治療用処置具。